(57)【特許請求の範囲】
【請求項１】
パチンコ機台や台間玉貸機等が組込搭載されるユニット本体の天井面部位を除く底面、左右両側面及び前後両面の各部位を、板金素材からなるパネル部材で形成し、これらパネル部材を接合面間にシール部材を介在させて互いに組合せ接合したことを特徴とするパチンコ設備ユニット。
【請求項２】
底面と左右両側面における各部位のパネル部材を一体に折曲形成したことを特徴とする請求項１記載のパチンコ設備ユニット。
【請求項３】
底面と前後両側面における各部位のパネル部材を一体に折曲形成したことを特徴とする請求項１記載のパチンコ設備ユニット。
【発明の詳細な説明】
【０００１】
【発明の属する技術分野】
本発明は、パチンコ島に用いられるパチンコ設備ユニットに関し、特に、ユニット本体の組立構造に改良を施すことにより、ＮＣ加工による量産性、搬送性及び現場での据付施工性の向上を図るとともに、気密性を高めるようにしたものである。
【０００２】
従来、この種のパチンコ設備においては、例えば特開平４−３１７６８３号公報などに開示されているように、パチンコ島の据付施工を行なう場合、工場から現場に搬送された木材や鉄骨等のアングル材により枠組を作り、この枠組にパチンコ機台や台間玉貸機、玉供給装置、貨幣搬送装置等を組付けるとともに、外装のみをパネル部材で構成しているのが現状である。
【０００３】
【発明が解決しようとする課題】
しかしながら、このような従来のパチンコ設備では、木材や鉄骨等のアングル材で構築された枠組構造であり、しかも、外装のみがパネル部材による組立であることから、組立部材の量産性や、工場から現場までの搬送性が悪く、現場での据付施工性にも劣るばかりでなく、横荷重に弱く、内容積も小さい。
【０００４】
また、ユニット本体の底面部位が開放されているために、全体の気密性に乏しく、これによって、パチンコ機台などからの電気発熱によって生じる自然対流により、開放された底面部位等から埃等が侵入し、玉が汚れ易くなり、玉の洗浄に大掛かりな装置が必要であったり、島に組み込まれた精密機器のトラブル等の発生が多いという問題があった。
【０００５】
本発明の目的は、機材の量産性、搬送性及び現場での据付施工性の向上を図るとともに、気密性を高め、トラブル等の発生を少なくすることができるようにしたパチンコ設備ユニットを提供することにある。
【０００６】
【課題を解決するための手段】
上記した課題を解決するために、本発明は、パチンコ機台や台間玉貸機等が組込搭載されるユニット本体の天井面部位を除く底面、左右両側面及び前後両面の各部位を、板金素材からなるパネル部材で形成し、これらパネル部材を接合面間にシール部材を介在させて互いに組合せ接合してなる構成としたものである。
【０００７】
この場合、前記底面と左右両側面または前後両側面における各部位のパネル部材を一体に折曲形成することが可能である。
【０００８】
【発明の実施の形態】
以下、本発明の実施の形態を図面を参照しながら詳細に説明すると、図１に示すように、図中１は本発明に係るパチンコ設備におけるユニット本体で、このユニット本体１の複数台を店内に並列配置することにより、パチンコ島を形成してなるものである。
【０００９】
このユニット本体１は、例えば前後両面に複数のパチンコ機台（図示の例では２台）１０，１０を互いに背中合わせで並列させて搭載し、かつこれら各々のパチンコ機台１０，１０の台間に台間玉貸機２０，２０をそれぞれ組込配置してなる構成を有する。
【００１０】
そして、前記ユニット本体１は、図２から図４に第１の実施の形態として示すように、天井面部位１Ａを除く底面部位１Ｂ、左右両側面部位１Ｃ，１Ｄ及び前後両面部位１Ｅ，１Ｆが板金素材からなるパネル部材２，３，４，５，６でそれぞれ形成され、これらパネル部材２，３，４，５，６を互いに組合せ接合してなる構成を有するとともに、前記各部位のパネル部材２，３，４，５，６の接合面間には、シール部材（パッキン）７が介在され、特に、前記底面部位１Ｂにおける気密性を維持し得るようになっている。
【００１１】
また、図５は前記ユニット本体１の第２の実施の形態を示すもので、前記底面部位１Ｂと左右両側面部位１Ｃ，１Ｄにおける各部位のパネル部材２，３，４を一体に折曲形成してなる構成を有するものである。
【００１２】
さらに、図６は前記ユニット本体１の第３の実施の形態を示すもので、前記底面部位１Ｂと前後両側面１Ｅ，１Ｆにおける各部位のパネル部材２．５，６を一体に折曲形成してなる構成を有するものである。
【００１３】
すなわち、本発明は、上記の構成を採用することにより、ユニット本体１の天井面部位１Ａを除く底面部位１Ｂ、左右両側面部位１Ｃ，１Ｄ及び前後両面部位１Ｅ，１Ｆを板金素材からなるパネル部材２，３，４，５，６で接合し形成してなるために、各々のパネル部材２，３，４，５，６をＮＣ加工することが可能になり、量産化が図れる。
【００１４】
また、各々のパネル部材２，３，４，５，６が板金素材からなるために、工場から現場までの搬送が容易で、現場での据付施工性を高めるばかりでなく、横荷重にも強く、しかも、内容積を大きくすることが可能になる。
【００１５】
さらに、各々のパネル部材２，３，４，５，６の接合面間にシール部材（パッキン）７が介在されているために、特に、ユニット本体１の底面部位１Ｂの気密性が維持され、従前のように、パチンコ機台１０，１０などからの電気発熱による自然対流が内部に生じても、埃等の侵入が防止される。
【００１６】
【発明の効果】
以上説明したように、本発明は、ユニット本体の天井面部位を除く底面部位、左右両側面部位及び前後両面部位を板金素材からなるパネル部材で接合し形成してなることから、各々のパネル部材をＮＣ加工することができ、これによって、量産化を図ることができる。
【００１７】
また、各々のパネル部材が板金素材からなるために、工場から現場までの搬送を容易に行なうことができ、現場での据付施工性を高めることができるばかりでなく、横荷重にも強く、しかも、内容積を大きくすることができる。
【００１８】
さらに、各々のパネル部材の接合面間にシール部材（パッキン）が介在されていることから、特に、ユニット本体の底面部位の気密性を維持することができ、従前のように、パチンコ機台などからの電気発熱による自然対流が内部に生じても、埃等の侵入を防止することができるために、玉が汚れにくく、玉の洗浄を簡易な装置で行なうことができるとともに、島に組み込まれた精密機器のトラブル等の発生を少なくすることができる。
【図面の簡単な説明】
【図１】本発明に係るパチンコ設備ユニットの全体構成を示す説明図。
【図２】同じくユニット本体の第１の実施の形態を示す説明図。
【図３】同じく図１のＡ部における要部拡大断面図。
【図４】同じくユニット本体を分解して示す説明図。
【図５】ユニット本体の第２の実施の形態を示す説明図。
【図６】ユニット本体の第３の実施の形態を示す説明図。
【符号の説明】
１・・・ユニット本体、
１Ａ・・・天井面部位、
１Ｂ・・・底面部位、
１Ｃ，１Ｄ・・・左右両側面部位、
１Ｅ，１Ｆ・・・前後両面部位、
２・・・底面パネル部材、
３，４・・・左右両側面パネル部材、
５，６・・・前後両面パネル部材、
７・・・シール部材（パッキン）、
１０，１０・・・パチンコ機台、
２０，２０・・・台間玉貸機。
【図１】
0003728782.tif 000002
【図２】
0003728782.tif 000003
【図３】
0003728782.tif 000004
【図４】
0003728782.tif 000005
【図５】
0003728782.tif 000006
【図６】
0003728782.tif 000007